(57)【要約】【課題】  腰の下に入れられたシート本体上で汚れたおむつを丸めてそのまま収納体内に入れられるようにすることで、その場で汚れたおむつの回収と新しいおむつの装着を連続的に効率良く作業でき、少しでも早く取り替えて身支度を整えることが可能な医療・介護シートを提供すること。【解決手段】  シート本体と収納体を有し、シート本体の一側部に収納体を着脱可能に取り付け、この収納体の開口部から出し入れ可能にしてある。【選択図】  図１
2005306576.tif 000002
【特許請求の範囲】
【請求項１】
シート本体と収納体を有し、シート本体の一側部に収納体を着脱可能に取り付け、この収納体の開口部から出し入れ可能にしてあることを特徴とする医療・介護シート。
【請求項２】
シート本体および／または収納体が防水性を有していることを特徴とする請求項１記載の医療・介護シート。
【請求項３】
収納体が、シート状に展開可能且つ袋状に組み立て可能に形成してあることを特徴とする請求項１または２記載の医療・介護シート。
【発明の詳細な説明】
【技術分野】
【０００１】
本発明は治療時やおむつを取り替える際に敷かれて用いられる医療・介護シートに関する。
【背景技術】
【０００２】
たとえば、おむつを取替える際、シーツ上で行なうと汚すことがあり、シーツが防水シーツであっても拭き取りでは不十分で臭いやくすみが残り、洗わないと不衛生であるし、乾きも遅い不都合がある。
そこで、医療・介護の現場では、腰の下にシートを入れ、シート上でおむつを取替えており、汚れたおむつは、臭気や衛生面から直ちに使用済み紙おむつ専用のゴミ袋あるいは特許文献１の使用済み紙おむつ専用のゴミ箱等に入れ、その後に、新しいおむつを着けることにより取替えている。そのため、この取替え作業を１人で行なう場合、汚れたおむつを袋に入れる間に動かれてしまうこともあって、取替えをスムーズに行なえないことがある。
このようにおむつを効率良く取り替え作業することができない不便さがあり、また、シートは使い捨てであるため不経済であり、資源の無駄遣いにもなっている。
このような不都合があるのに、未だこれを解消する適当なものが出現していない。
【特許文献１】実開昭６３−１６９５０１号公報
【発明の開示】
【発明が解決しようとする課題】
【０００３】
解決しようとする課題は、第１には、その場でおむつを連続的に効率良く取り替え作業でき、少しでも早く身支度を整えることが可能な医療・介護シートを、第２には、さらに、綺麗に拭き取り或いは洗い流して繰り返し使用可能な医療・介護シートを、第３には、さらに、衛生的に管理し易い医療・介護シートを提供することにある。
【課題を解決するための手段】
【０００４】
本発明は前記した課題を達成するため、以下の構成にしたことを特徴とする。
１．シート本体と収納体を有し、シート本体の一側部に収納体を着脱可能に取り付け、この収納体の開口部から出し入れ可能にしてあることを特徴とする。
本発明におけるシート本体の形、大きさ、材質は自由であるが、成人用であればバスタオル程度、子供用であればタオル程度の大きさの防水性を有する部材たとえば樹脂製シート等が望ましい。同様に、収納体の形、大きさ、材質についても自由であるが、防水性を有する部材たとえば樹脂製のものが望ましく、おむつを開口部から出し入れ可能な大きさの袋状のものであればよい。この開口部は、シート面に連続して形成されている態様であってもよいし、体表面に形成してある態様のものであってもよい。さらに、開口部には、同口を開閉可能な蓋部を設けるようにしても良い。
かかるシート本体と収納体の着脱関係は、シート本体に対して収納体が着脱可能であればよく、この着脱要素としてはベルベットファスナー（マジックテープ、商標名）或いはスナップ（押しホック）等が挙げられる。
そして、シート本体と収納体の位置関係は、シート本体の他側部を腰の下に入れて敷いた際に、一側部上の収納体が股間に位置する関係になっていればよい。したがって、シート本体の一側部とは、シート本体が例えば長方形状である場合、長手方向の一方の端部分ということになる。
シート本体および収納体は、抗菌処理してあるのが好ましい。
収納体は、開口部を有する袋状に形成してあるものであってもよいし、展開して洗濯等をし易くしてある分解・組み立て可能な袋状のものであってもよい。
２．前記した１において、シート本体および／または収納体が防水性を有していることを特徴とする。
防水性は、シート本体、収納体を防水部材により形成して備えるようにしてもよいし、表面に防水部材を被覆或いはコーティングして備えるようにしてもよく、付着した汚物を拭き取ることが可能で、洗うことで繰り返し使用可能な程度の防水性を有するものであればよい。
３．前記した１または２において、収納体が、シート状に展開可能且つ袋状に組み立て可能に形成してあることを特徴とする。
【発明の効果】
【０００５】
Ａ．請求項１により、腰の下に入れられたシート本体上で汚れたおむつを丸めてそのまま収納体内に入れることができて、その場で汚れたおむつの回収と新しいおむつの装着を効率良く作業でき、少しでも早く取り替えて身支度を整えることができる。しかも、これらの取替え作業は片手で行なうことも可能であるから、１人でも手早く行なえる。また、シート本体と収納体は着脱可能であるから、分割して個別に洗濯・乾燥することによって衛生的に保てる。
Ｂ．請求項２により、さらに、綺麗に拭き取り或いは洗い流して繰り返し使用することができ、経済的である。
Ｃ．請求項３により、さらに、収納体を展開することによって洗濯等がし易くなるので、衛生的に管理し易い。
【発明を実施するための最良の形態】
【０００６】
図１〜図２には本発明の医療・介護用シートにおける実施の１形態を例示しており、シート本体１は、バスタオル程度の大きさからなる柔軟な樹脂シート製の長方形状に形成してある。このシート本体１は、表面部１ａにおける長手方向の中央部をおむつ替え部２とし、他側部を腰下入れ部３とし、一側部には収納体４を着脱可能に形成してある。
収納体４は、おむつを開口部４ａから出し入れ可能な大きさの柔軟な樹脂シート製の袋状のもので、表面部１ａの一側部分にベルベットファスナー５を経て着脱可能に取り付けられている。この収納体４における開口部４ａはおむつ替え部２側の側縁に開口形成してあり、おむつをおむつ替え部２から収納体４内に最短距離の移動で入れられるように形成してある。
また、収納部４は、底部４ｂと左右の襠部４ｃを有する直方体状に形成してあり、開口部４ａからおむつを出し入れし得るようにしてあると共に、底部４ｂおよび左右の襠部４ｃを半折させて扁平状に畳めるようにしてある。さらに、収納体４は、左右の襠部４ｃと表部４ｄにおける接合部４ｅと、左右の襠部４ｃと底部４ｂにおける接合部４ｆを、それぞれ分離することで展開可能に形成してあり、また、これらの接合部４ｅ、４ｆをそれぞれ接合することにより直方体状に組み立て可能に形成してある。接合部４ｅ、４ｆはベルベットファスナーによる着脱可能な関係にしてある。
【０００７】
そして、おむつの取替えに際しては、あらかじめ収納体４内に袋６を入れておく。袋６は、汚れたおむつが入り、おむつともどもおむつ回収物（図示せず）等に捨てられるもので、この袋の開口部分６ａは収納体４の開口部４ａから出ていて、おむつを入れやすくしてあり、また、開口部分６ａを掴み収納体４内から取り出しやすくしてある。
これにより、腰の下に腰下入れ部３を入れ、汚れたおむつをおむつ替え部２上でまとめた後に開口部分６ａから袋６内に入れられ、手早く最短時間で汚れたおむつの回収処理ができることになる。
したがって、前記の回収処理に引き続き、新しいおむつを装着させて取替え作業を終えることができる。さらに、シート本体１および収納体４を柔軟性の樹脂シート製にしてあることで、コンパクトに折り畳み可能であり、管理も容易である。
また、かかるおむつの取替え作業は、汚れたおむつを収納体４に直接出し入れするようにし、袋６を用いずに行なうようにしてもよい。
そして、収納体４は、シート本体１から分離して展開することで洗濯等がし易くなるし、洗濯後も乾燥し易い。
【図面の簡単な説明】
【０００８】
【図１】本発明の医療・介護用シートにおける実施の１形態を例示している平面図。
【図２】縦断面図。
【図３】収納体の拡大斜視図。
【図４】収納体の展開図。
【符号の説明】
【０００９】
１  シート本体
１ａ  表面部
２  おむつ替え部
３  腰下入れ部
４  収納体
４ａ  開口部
４ｂ  底部
４ｃ  襠部
４ｄ  表部
４ｅ、４ｆ  接合部
５  ベルベットファスナー
６  袋
６ａ  開口部分
【図１】
2005306576.tif 000003
【図２】
2005306576.tif 000004
【図３】
2005306576.tif 000005
【図４】
2005306576.tif 000006